(57)【特許請求の範囲】
【請求項１】
スラブを運搬するクレーンを載置する、少なくとも１組のランウェイガーター及び軌条を備える第一スラブヤードと、該第一スラブヤードに隣接し、上記ランウェイガーター及び軌条に平行な軌条を移動するガントリークレーンを備える第二スラブヤードからなるスラブヤードであって、
（i-1）上記第一スラブヤードのクレーンのランウェイガーター及び軌条が、第二スラブヤード側に、所要の長さで延長され、かつ、
（i-2）上記第二スラブヤードのガントリークレーンの軌条の一方が、上記第一クレーンヤードのクレーンの１組のランウェイガーター及び軌条の延長部分の間の中間に敷設されていて、
（ii）上記第二スラブヤードのガントリークレーンの１組の軌条と、上記第一クレーンヤードのクレーンの１組のランウェイガーター及び軌条の延長部分と挟まれている部分が、スラブ受渡ヤードである
ことを特徴とするクレーン連携高機能スラブヤード。
【請求項２】
前記ガントリークレーンが、自立型ガントリークレーンであることを特徴とする請求項１に記載のクレーン連携高機能スラブヤード。
【請求項３】
前記ガントリークレーンが、前記スラブのスラブ受渡ヤードで、前記第一スラブヤードのクレーンのランウェイガーター及び軌条の延長部分を跨ぐことを特徴とする請求項１又は２に記載のクレーン連携高機能スラブヤード。
【請求項４】
前記ガントリークレーンの軌条の外側がスラブ置場であることを特徴とする請求項１〜３のいずれか１項に記載のクレーン連携高機能スラブヤード。
【発明の詳細な説明】
【技術分野】
【０００１】
本発明は、構造の異なるクレーンを直線的に配設し、スラブの搬入、保管、及び、搬出を、製鋼スケジュール及び／又は圧延スケジュールに合わせ効率的に行うことができるスラブヤードに関する。
【背景技術】
【０００２】
製鋼工程で連続鋳造された鋳片を所要の長さに切断したスラブは、次の熱延工程や厚板工程に搬送されるまでの間、通常、成分組成、寸法等で分類されて、スラブヤードに一時保管される。スラブの保管に際しては、保管量の最大化や、搬入・搬出の効率化を図る必要があり、そのため、保管場所を整理又は管理する方法が幾つか提案されている（特許文献１〜４、参照）。
【０００３】
しかし、熱延工程や厚板工程が、定期点検や、トラブルで休止した場合、スラブの搬出が停止するので、スラブのスラブヤードへの搬入量が、スラブ収容能力を超える場合がある。この場合、製鋼工程での出鋼量を調整し、また、超過分スラブを、スラブヤード外の平地に運搬して保管する。保管するといっても“野積み”のままである。
【０００４】
スラブをスラブヤードから野積みヤード（平地）へ運搬する場合、数枚ずつトレーラーに載せて運搬し、野積みヤード（平地）では、レッカー車で、トレーラーからスラブを降ろすことになる。トレーラーへの積載、野積みヤードへの運搬、及び、トレーラーからの荷降ろしの一連の作業は、結果的に、鋼製品の製造コストを押し上げることになる。
【先行技術文献】
【特許文献】
【０００５】
【特許文献１】特開２０１１−０３２０３８号公報
【特許文献２】特開２０１１−０１６６３３号公報
【特許文献３】特開２００７−０８４２０１号公報
【特許文献４】特開平０９−０３０６１２号公報
【発明の概要】
【発明が解決しようとする課題】
【０００６】
スラブヤードの面積を単に拡大すれば、収容能力の不足は解決するが、スラブヤードには、スラブの収容能力の他、スラブ搬入・搬出時のハンドリング性及びアクセス性がよい機能を備えていることが求められる。
【０００７】
そこで、本発明は、スラブの収容能力が高く、かつ、スラブ搬入・搬出時のハンドリング性及びアクセス性が優れたスラブヤードを提供することを目的とする。
【課題を解決するための手段】
【０００８】
本発明者らは、上記目的を達成する手法について鋭意検討した。その結果、スラブの収容能力を高めるため面積を拡大したスラブヤードにおいて、構造の異なる二つのクレーンを直線的に配設して、連携操作すれば、スラブ搬入・搬出時のハンドリング性及びアクセス性を良好に維持できることを見いだした。
【０００９】
本発明は、上記知見に基づいてなされたもので、その要旨は以下のとおりである。
【００１０】
（１）スラブを運搬するクレーンを載置する、少なくとも１組のランウェイガーター及び軌条を備える第一スラブヤードと、該第一スラブヤードに隣接し、上記ランウェイガーター及び軌条に平行な軌条を移動するガントリークレーンを備える第二スラブヤードからなるスラブヤードであって、
（i-1）上記第一スラブヤードのクレーンのランウェイガーター及び軌条が、第二スラブヤード側に、所要の長さで延長され、かつ、
（i-2）上記第二スラブヤードのガントリークレーンの軌条の一方が、上記第一クレーンヤードのクレーンの１組のランウェイガーター及び軌条の延長部分の間の中間に敷設されていて、
（ii）上記第二スラブヤードのガントリークレーンの１組の軌条と、上記第一クレーンヤードのクレーンの１組のランウェイガーター及び軌条の延長部分と挟まれている部分が、スラブ受渡ヤードである
ことを特徴とするクレーン連携高機能スラブヤード。
【００１１】
（２）前記ガントリークレーンが、自立型ガントリークレーンであることを特徴とする前記（１）に記載のクレーン連携高機能スラブヤード。
【００１２】
（３）前記ガントリークレーンが、前記スラブのスラブ受渡ヤードで、前記第一スラブヤードのクレーンのランウェイガーター及び軌条の延長部分を跨ぐことを特徴とする前記（１）又は（２）に記載のクレーン連携高機能スラブヤード。
【００１３】
（４）前記ガントリークレーンの軌条の外側がスラブ置場であることを特徴とする前記（１）〜（３）のいずれかに記載のクレーン連携高機能スラブヤード。
【発明の効果】
【００１４】
本発明によれば、スラブの収容能力が高く、かつ、スラブ搬入・搬出時のハンドリング性及びアクセス性が優れたスラブヤードを提供することができる。
【図面の簡単な説明】
【００１５】
【図１】本発明のスラブヤードの平面態様を示す図である。
【図２】図１に示すスラブヤードのＡ−Ａ断面の矢印方向の態様を示す図である。
【図３】ガントリークレーンの側面態様を示す図である。
【図４】本発明のスラブヤードの別の平面態様を示す図である。
【図５】図４に示すスラブヤードのＢ−Ｂ断面の矢印方向の態様を示す図である。
【図６】スラブの受渡の際の第一スラブヤードのクレーンの態様を示す図である。
【図７】スラブの受渡の際の第二スラブヤードのガントリークレーンの態様を示す図である。
【発明を実施するための形態】
【００１６】
本発明のクレーン連携高機能スラブヤード（以下「本発明ヤード」ということがある。）は、スラブを運搬するクレーンを載置する、少なくとも１組のランウェイガーター及び軌条を備える第一スラブヤードと、該第一スラブヤードに隣接し、上記ランウェイガーター及び軌条に平行な軌条を移動するガントリークレーンを備える第二スラブヤードからなるスラブヤードであって、
（i-1）上記第一スラブヤードのクレーンのランウェイガーター及び軌条が、第二スラブヤード側に、所要の長さで延長され、かつ、
（i-2）上記第二スラブヤードのガントリークレーンの軌条の一方が、上記第一クレーンヤードのクレーンの１組のランウェイガーター及び軌条の延長部分の間の中間に敷設されていて、
（ii）上記第二スラブヤードのガントリークレーンの１組の軌条と、上記第一クレーンヤードのクレーンの１組のランウェイガーター及び軌条の延長部分に挟まれた部分が、スラブ受渡ヤードである
ことを特徴とする。
【００１７】
以下、本発明について図面に基づいて説明する。
【００１８】
図１に、本発明のスラブヤードの平面態様を示す。図２に、図１に示すスラブヤードのＡ−Ａ断面の矢印方向の態様を示す。
【００１９】
本発明ヤードにおいては、第一スラブヤード１に隣接し、第二スラブヤード２が配置されている。第一スラブヤード１には、クレーン４を載置するランウェイガーター５’及び軌条５が配置されていて、クレーン４が、スラブ把持装置（図１中に図示なし）でスラブ（図２中「３」参照）を吊り下げて運搬するが、１組のランウェイガーター５’及び軌条５は、第二スラブヤード２の方向に、所要の長さで伸びる延長ランウェイガーター５ａ’及び延長軌条５ａを有している。
【００２０】
なお、第一スラブヤード１は、建屋内にあってもよく、また、保温設備を備えていてもよい。
【００２１】
第二スラブヤード２においては、第一スラブヤード１に配置されているランウェイガーター５’及び軌条５（及び、延長ランウェイガーター５ａ’及び延長軌条５ａ）と平行に、ガントリークレーンが走行する軌条６が敷設されている。ガントリークレーンは、自立型ガントリークレーンが好ましい。
【００２２】
図３に、ガントリークレーンの側面態様を示す。ガントリークレーン７は、脚部１０に車輪９を備えているので、送電装置１４から受電し、運転室１５の指令で、軌条６上を迅速に移動することができる。
【００２３】
ガントリークレーン７の脚部１０が支えるクレーンガーター１１には、スラブ３を吊下げるスラブ把持装置１３を有するクラブハウス１２が載置されていて、ガントリークレーン７の移動及びクラブハウス１２の移動で、スラブ３を、軌条６の間のスラブ置場の所望の位置へ運搬することができる。
【００２４】
そして、本発明ヤードにおいては、ガントリークレーン７の軌条６の一方が、第一スラブヤード１に伸びている延長ランウェイガーター５ａ’及び延長軌条５ａの中間に位置していて、１組の延長ランウェイガーター５ａ’及び延長軌条５ａと１組の軌条６の間の領域が、第一スラブヤード１と第二スラブヤード２との間でスラブ３の受渡を行うスラブ受渡ヤード８として機能する。この点が、本発明ヤードの基本的な特徴である。なお、延長ランウェイガーター５ａ’及び延長軌条５ａの長さは、スラブ受渡ヤードが受渡するスラブを載置する広さを確保できる程度の長さがあればよい。
【００２５】
図４に、本発明のスラブヤードの別の平面態様を示す。図４に示すスラブヤードは、１組の延長ランウェイガーター５ａ’及び延長軌条５ａと１組の軌条６の間にスラブ受渡ヤード８を設ける点で、図１に示すスラブヤードと基本的に同じである。
【００２６】
異なる点は、第二スラブヤードにおいて、スラブ置場が、軌条６の外側にも設けられていることである。スラブ置場を、軌条６の外側にも設けることで、第二スラブヤードのスラブ収容能力は格段に向上する。それ故、本発明ヤードは、スラブの収容能力が極めて大きく、本発明ヤードから離れた平地に、スラブを野積みする必要がない。
【００２７】
図５に、図４に示すスラブヤードのＢ−Ｂ断面の矢印方向の態様を示す。図５に示すように、ガントリークレーン７は、クレーンガーター１１が、脚部１０の外側に張り出していて、スラブ３を吊下げるスラブ把持装置１３を有するクラブハウス１２が、軌条６の外側に移動できるようになっている。この点も、本発明ヤードの特徴である。
【００２８】
ここで、第一スラブヤードと第ニスラブヤードでのスラブの受渡について説明する。図６に、スラブの受渡の際の第一スラブヤードのクレーンの態様を示す。ランウェイガーター５’及び軌条５上を走行するクレーン４は、延長ランウェイガーター５ａ’及び延長軌条５ａの先端まで移動できるので、クレーン４が備えるスラブ把持装置１３ａは、図中Ａ点まで進出することができる。一方、図７にスラブの受渡の際の第二スラブヤードのガントリークレーンの態様を示すが、ガントリークレーン７は、軌条６を走行し、延長ランウェイガーター５ａ’及び延長軌条５ａを跨ぎ、延長ランウェイガーター５ａ’及び延長軌条５ａとランウェイガーター５’及び軌条５の境目近傍まで移動できるので、クラブハウス１２が備えるスラブ把持装置１３は、Ｂ点まで進出することができる。Ａ点とＢ点を含む領域がスラブ受渡ヤードである。
【００２９】
即ち、ランウェイガーター５’及び軌条５上を走行するクレーン４は、スラブ把持装置１３ａでスラブを吊り上げて、第一スラブヤードから搬送されてきたスラブ３を、Ａ−Ｂ間のスラブ受渡ヤードに降ろす。一方、ガントリークレーン７は、Ａ−Ｂ間のスラブ受渡ヤードにクレーン４によって搬送されてきたスラブ３を、クラブハウス１２のスラブ把持装置１３で吊り上げて、第二スラブヤード２に運搬し保管する。
【００３０】
また、ガントリークレーン７は、第二スラブヤード２で保管していたスラブ３を、クラブハウス１２のスラブ把持装置１３で吊り上げて、Ａ−Ｂ間のスラブ受渡ヤードに運送する。クレーン４は、Ａ−Ｂ間のスラブ受渡ヤードのガントリークレーン７によって搬送されたスラブ３をスラブ把持装置１３ａで吊り上げて、第一スラブヤードへ搬送する。
【００３１】
このようにして、第一スラブヤードと第二スラブヤードの間に、両方のクレーンが相互に進入できるスラブ受渡ヤードを設けたので、一方のスラブヤードから他方のスラブヤードにスラブの受渡を迅速に行なうことができ、スラブヤードのスラブの搬出入効率が向上する。
【００３２】
したがって、圧延スケジュールが変更されて、搬出するスラブの種類が変更になっても、この変更に迅速に対応して、スラブを搬出することができる。
【産業上の利用可能性】
【００３３】
前述したように、本発明によれば、スラブの収容能力が高く、かつ、スラブ搬入・搬出時のハンドリング性及びアクセス性が優れたスラブヤードを提供することができる。よって、本発明は、鉄鋼産業において利用可能性が高いものである。
【符号の説明】
【００３４】
１    第一スラブヤード
２    第二スラブヤード
３    スラブ
４    クレーン
５    軌条
５ａ    延長軌条
５’    ランウェイガーター
５ａ’    延長ランウェイガーター
６    軌条
７    ガントリークレーン
８    スラブ受渡ヤード
９    車輪
１０    脚部
１１    クレーンガーター
１２    クラブハウス
１３    スラブ把持装置
１３ａ    スラブ把持装置
１４    送電装置
１５    運転室
【図１】
0005790581.tif 000002
【図２】
0005790581.tif 000003
【図３】
0005790581.tif 000004
【図４】
0005790581.tif 000005
【図５】
0005790581.tif 000006
【図６】
0005790581.tif 000007
【図７】
0005790581.tif 000008